(57)【要約】      （修正有）【課題】縦ガラリが設けられても、障子を閉じる際に発生する振動を抑制することができ、操作性及び見栄えを向上させることできる開口部装置を提供する。【解決手段】建物の開口部に設けられる枠体と、枠体により枠組みされた枠内に配置される障子と、吊元側に設けられ、障子を吊元側を中心に揺動して開閉可能とする開閉軸部材と、を備え、枠体のうち吊元側に配置される縦枠である吊元側縦枠３と障子との間には、障子の閉鎖の姿勢で見込み方向に連通する通路４０が形成され、通路４０には、吊元側縦枠３の両端部を除く一部に、障子の閉鎖の姿勢で吊元側縦枠３及び障子に接触する支持部材１３を、具備する、開口部装置とする。【選択図】図７
2014109116.tif 000002
【特許請求の範囲】
【請求項１】
建物の開口部に設けられる枠体と、
該枠体により枠組みされた枠内に配置される障子と、
吊元側に設けられ、前記障子を前記吊元側を中心に揺動して開閉可能とする開閉軸部材と、を備え、
前記枠体のうち前記吊元側に配置される縦枠である吊元側縦枠と前記障子との間には、該障子の閉鎖の姿勢で見込み方向に連通する通路が形成され、
前記通路には、前記吊元側縦枠の両端部を除く一部に、前記障子の閉鎖の姿勢で前記吊元側縦枠及び前記障子に接触する支持部材を、具備する、開口部装置。
【請求項２】
前記支持部材は前記吊元側縦枠の長手方向中央となる位置に配置されている、請求項１に記載の開口部装置。
【請求項３】
前記支持部材は前記吊元側縦枠に固定されている、請求項１又は２に記載の開口部装置。
【請求項４】
前記支持部材は前記障子に固定されている、請求項１又は２に記載の開口部装置。
【請求項５】
前記開閉軸部材がピボットヒンジである、請求項１乃至４のいずれか１項に記載の開口部装置。
【発明の詳細な説明】
【技術分野】
【０００１】
本発明は、障子の振動を制御する支持部材を用いた開口部装置に関する。
【背景技術】
【０００２】
例えば浴室の開口部に設けられるドア等の開口部装置には、換気のために内外を連通する通気口が備え付けられていることが多い。
【０００３】
このような通気口が備え付けられた開口部装置として、特許文献１には、枠体内に配置される戸体の下框に沿って、浴室内と浴室外とを連通する通気用ガラリを備える浴室用開口部装置が開示されている。また、特許文献２には、浴室の開口部に設けられた枠体の枠内に具備された戸体の少なくとも一方の縦框に沿って、浴室内と浴室外とを連通する通気用ガラリを備える構造が開示されている。この通気用ガラリは、縦框と協働して通気用の間隙を形成するガラリ部材を備え、これら縦框及びガラリ部材は、少なくとも一カ所が連結部材で連結され、この連結部材には通気用ガラリ内に浸入した水を浴室内に導く案内面を設けたことを特徴としている。
【０００４】
特許文献２に記載の技術によれば、縦框に通気用ガラリを設けることにより、特許文献１のように下框（横框）に通気用ガラリを設ける場合と比較して、よりシンプルな框体とすることができるため、意匠性を向上させることが可能となる。
また、縦框に通気用ガラリを設けると横框に通気用ガラリを設けた場合よりも、溝部分にゴミやちり等が溜まりにくいという利点がある。
【先行技術文献】
【特許文献】
【０００５】
【特許文献１】特開平１０−１５３０５７号公報
【特許文献２】特開２００６−２２６０１０号公報
【発明の概要】
【発明が解決しようとする課題】
【０００６】
一方、障子（戸体）の左右方向一端側を軸として揺動することにより障子が開閉するいわゆる開き戸の形式の開口部装置では、障子の閉鎖時であっても吊元側の縦枠と障子の吊元側端部との間に空気の流通路を形成することにより、これを通気用のガラリ（縦ガラリ）として機能させることができる。
しかしながら、このような縦ガラリを形成すると、障子の閉鎖時にも障子の揺動の軸となる支持部材（蝶番やヒンジ等）のみで支えられることになる。そのため、障子を閉めた時の衝撃により、支持されていない部分における吊元の框が振動し、障子の操作感が損なわれてしまう問題があった。このような振動は、障子のパネルにガラス等の重量が大きい部材を用いた場合にはより顕著なものとなり、開口部装置の操作上及び外観上の問題となっている。
【０００７】
そこで本発明は、縦ガラリが設けられても、障子を閉じる際に発生する振動を抑制することができ、操作性及び見栄えを向上させることできる開口部装置を提供する。
【課題を解決するための手段】
【０００８】
請求項１に記載の発明は、建物の開口部に設けられる枠体と、該枠体により枠組みされた枠内に配置される障子と、吊元側に設けられ、障子を吊元側を中心に揺動して開閉可能とする開閉軸部材と、を備え、枠体のうち吊元側に配置される縦枠である吊元側縦枠と障子との間には、該障子の閉鎖の姿勢で見込み方向に連通する通路が形成され、通路には、吊元側縦枠の両端部を除く一部に、障子の閉鎖の姿勢で吊元側縦枠及び障子に接触する支持部材を、具備する、開口部装置である。
【０００９】
請求項２に記載の発明は、請求項１に記載の開口部装置において、支持部材は吊元側縦枠の長手方向中央となる位置に配置されている。
【００１０】
請求項３に記載の発明は、請求項１又は２に記載の開口部装置において、支持部材は吊元側縦枠に固定されている。
【００１１】
請求項４に記載の発明は、請求項１又は２に記載の開口部装置において、支持部材は障子に固定されている。
【００１２】
請求項５に記載の発明は、請求項１乃至４のいずれか１項に記載の開口部装置において、開閉軸部材がピボットヒンジである。
【発明の効果】
【００１３】
本発明によれば、縦ガラリが設けられても、障子を閉じる際に発生する振動を抑制することができ、開口部装置の操作性及び見栄えを向上させることできる。
【図面の簡単な説明】
【００１４】
【図１】１つの実施形態を説明する図で、開口部装置１００の斜視図である。
【図２】図１の開口部装置１００の浴室側正面視である。
【図３】図２のＩＩＩ−ＩＩＩ線に沿った断面図である
【図４】図２のＩＶ−ＩＶ線に沿った断面図である。
【図５】支持部材１３の斜視図である。
【図６】図２のＶＩ−ＶＩ線に沿った断面図である。
【図７】図４のうち、吊元側に着目した図である。
【図８】図７と同一断面において、障子５を開放した姿勢の断面図である。
【図９】変形例を説明する図で、吊元側に着目した図である。
【発明を実施するための形態】
【００１５】
本発明の上記のような作用及び利得は、次に説明する発明を実施するための形態から明らかにされる。以下本発明を図面に示す実施形態に基づき説明する。ただし、本発明はこれら実施形態に限定されるものではない。
【００１６】
図１は、１つの実施形態に係る開口部装置１００を説明する図であり、開口部装置１００を浴室側から見た斜視図である。本実施形態では、開口部装置１００は、浴室とこれに隣接する浴室外としての更衣室との間における建物開口部に備えられる例により説明する。
開口部装置１００は、上枠１、下枠２、吊元側縦枠３、戸先側縦枠４、障子５、及び支持部材１３（図２、４参照）を有している。本実施形態では、浴室と更衣室との間の開口部に上枠１、下枠２、吊元側縦枠３、戸先側縦枠４が四方枠組みされることにより、枠体が形成され、該枠体の枠内に障子５が設置されている。
【００１７】
障子５は、パネル６の外周縁部を上框７、下框８、吊元框９、戸先框１０で囲むように配置することにより形成され、戸先框１０には開閉操作手段１１及び施錠手段１２が備え付けられている。本実施形態では開閉軸部材として機能するピボットヒンジを軸として障子５を開閉するように構成されている。
【００１８】
また、後述するように、吊元側縦枠３と吊元框９との間に、浴室と浴室外とを連通する換気用のガラリ、すなわち縦ガラリ４０が設けられている。縦ガラリ４０は吊元側縦枠３及び吊元框９の延在方向の沿って形成され、該延在方向の略中央位置に、障子を閉鎖するときの振動を抑制する支持部材１３が配置される。
【００１９】
以下各構成部材について詳しく説明する。図２は、図１の開口部装置１００を浴室側正面から見た図である。図３は図２にＩＩＩ−ＩＩＩで示した線に沿った鉛直方向断面図、図４は図２にＩＶ−ＩＶで示した線に沿った水平方向断面図である。
図３及び図４では断面図のうち、上枠１及び下枠２、並びに、吊元側縦枠３及び戸先側縦枠４が表れる両端部に注目して示し、その間の一部は省略している。また、図３は紙面左が浴室内側、紙面右が更衣室（浴室外）側、図４は紙面上が浴室内側、紙面下が更衣室（浴室外）側である。
ここで、各図では見易さのため、一部の部材を省略したり、部材の形状を誇張、変形して示す場合がある。
【００２０】
上枠１は枠体のうち上枠を形成する長尺の部材であり、図３に表れる断面を有して長手方向に延在する。上枠１は、該長手方向が開口部の上縁に沿って配置され、建物躯体に固定されている。上枠１の断面形状は特に限定されることなく、後述するように縦ガラリ４０を形成することができるように構成されていればよい。本実施形態では、上記のようピボットヒンジで障子５を開閉可能とするため、上枠１のうち吊元側端部には軸受け１ａが配置されている。
また、上枠１のうち更衣室側には見付け方向下方に向けて片１ｂが延びその先端に戸当たり１ｃが設けられている。
【００２１】
下枠２は枠体のうち下枠を形成する長尺の部材であり、図３に表れる断面を有して長手方向に延在する。下枠２は、該長手方向が開口部の下縁に沿って配置され、建物躯体に固定されている。下枠２の断面形状は特に限定されることなく、後述するように縦ガラリ４０を形成することができるように構成されていればよい。本実施形態では、上記のようピボットヒンジで障子５を開閉可能とするため、下枠２のうち吊元側端部には下側ピボット軸２ａが上方に向けて突出するように配置されている。
また、本形態では下枠２のうち更衣室側には戸当たり２ｂが立設するように設けられている。
【００２２】
吊元側縦枠３は枠体のうち吊元側となる縦枠を形成する長尺の部材であり、図４に表れる断面を有して長手方向に延在する。吊元側縦枠３は、該長手方向が開口部の縦縁に沿って配置され、上枠１の吊元側端部と下枠２の吊元側端部とを渡すようにして固定されるとともに建物躯体にも固定されている。吊元側縦枠３の断面形状は特に限定されることなく、後述するように縦ガラリ４０を形成することができるように構成されていればよい。
本形態では吊元側縦枠３のうち浴室側及び更衣室側のそれぞれから戸先側縦枠４側に向けて見付け方向に延びる片３ａ、片３ｂが設けられている。片３ａの先端は更衣室側に向けて折り曲げられている。
【００２３】
戸先側縦枠４は枠体のうち戸先側となる縦枠を形成する長尺の部材であり、図４に表れる断面を有して長手方向に延在する。戸先側縦枠４は、該長手方向が開口部の縦縁に沿って配置され、上枠１の戸先側端部と下枠２の戸先側端部とを渡すようにして固定されるとともに建物躯体にも固定されている。戸先側縦枠４の断面形状は特に限定されることなく通常の縦枠を用いることができる。
本形態では戸先側縦枠４のうち更衣室側から吊元側縦枠３側に向けて見付け方向に延びる片４ａが設けられ、その先端に戸当たり４ｂが配置されている。
また、図４に表れているように、戸先側縦枠４のうち開閉操作手段１１が配置された位置に対応して、開閉操作手段１１から突出するラッチボルト１１ａを係止可能なストライク１１ｂが設けられている。また、図１、図２に表れた施錠手段１２に対応する位置には錠受け（不図示）が配置されている。
【００２４】
以上のような上枠１、下枠２、吊元側縦枠３、戸先側縦枠４が四方枠組みされて枠体とされ、開口部の縁に沿って建物躯体に固定されている。
【００２５】
障子５は上記ように、パネル６、上框７、下框８、吊元框９、戸先框１０を有しており、それぞれ次のような構成を備えている。
パネル６は、矩形板状の面材であり、公知のものを用いることができる。これには例えばガラス板やポリスチレン樹脂等による樹脂板を挙げることができる。
【００２６】
上框７は、上横框を形成する長尺の部材であり、図３に表れる断面を有して長手方向に延在する。上框７の断面形状は特に限定されることなく、後述するように縦ガラリ４０を形成することができるように構成されていればよい。
また、上框７のうち下框８側端部には、該下框８側に延びる２つの片が設けられ、その間にグレージングチャンネル７ａが配置されている。
【００２７】
下框８は、下横框を形成する長尺の部材であり、図３に表れる断面を有して長手方向に延在する。下框８の断面形状は特に限定されることなく、後述するように縦ガラリ４０を形成することができるように構成されていればよい。
また、上框８のうち上框７側端部には、該上框７側に延びる２つの片が設けられ、その間にグレージングチャンネル８ａが配置されている。
【００２８】
吊元框９は、吊元側の縦框を形成する長尺の部材であり、図４に表れる断面を有して長手方向に延在する。吊元框９の断面形状は特に限定されることなく、後述するように縦ガラリ４０を形成することができるように構成されていればよい。
また、吊元框９のうち戸先框１０側端部には、浴室側及び更衣室側のそれぞれに片が設けられ、その間にグレージングチャンネル９ａが配置されている。
【００２９】
さらに吊元框９の上端には、図３に表れているようにピボットヒンジで障子５を開閉可能とするため、上側ピボット軸７ｃが上方に向けて突出するように配置されている。
一方、吊元框９の下端には、下枠２に具備された下側ピボット軸２ａ（図３参照）を挿入して受ける軸受けが設けられている（不図示）。
【００３０】
また、吊元框９のうち見付け方向外側（戸先框１０とは反対側）には、見付け方向外側に突出するように配置された水返し手段２５が設けられている。水返し手段２５は縦ガラリ４０による間隙により浴室から更衣室へ水が通過することを防止するための手段である。そのため、水返し手段２５は、障子５を閉鎖した姿勢で、見付け方向外側に向かうにつれて浴室側に向かうように湾曲した返し片２５ａを備えている。
【００３１】
戸先框１０は、戸先側の縦框を形成する長尺の部材であり、図４に表れる断面を有して長手方向に延在する。戸先框１０の断面形状は特に限定されることなく通常の形状を適用することができる。
本形態では、戸先框１０のうち吊元框９側端部には、浴室側及び更衣室側のそれぞれに片が設けられ、その間にグレージングチャンネル１０ａが配置されている。
【００３２】
また、戸先框１０の中央位置には、図１、図２、図４からわかるように、開閉操作手段１１が設けられている。開閉操作手段１１としては、操作部１１ｃ及びこれに連動するラッチボルト１１ａを備えるなど、通常のものを適宜採用することができる。
【００３３】
以上のような各構成要素を備える障子５は、パネル６の外周端部がグレージングチャンネル７ａ、８ａ、９ａ、１０ａを介して上框７、下框８、吊元框９、戸先框１０に挿入され、障子５とされる。上框７、下框８、吊元框９、及び戸先框１０はパネル６の外周に沿って枠組みされ、互いに連結される。
【００３４】
次に支持部材１３について説明する。図５には支持部材１３の斜視図を表した。支持部材の断面形状は図４に表れている。図４、図５からわかるように、支持部材１３は本体１３ａを有し、該本体１３ａから突出するように延びる接触部１３ｂを具備している。さらに、本体１３ａのうち接触部１３ｂが突出する部位とは異なる部位から取付部１３ｃが突出するように設けられている。
支持部材１３は後述するように吊元側縦枠３と吊元框９とに接触して振動を抑制する部材であることから、所定の弾性を有していることが好ましく樹脂やゴムにより形成されていることが好ましい。
また、支持部材１３の長手方向の大きさ（図５の紙面上下方向長さ）は特に限定されることはないが、長すぎると縦ガラリ４０による空気の流通に影響を与えてしまい、短すぎると振動を抑制するための抵抗として効果が弱まってしまうという観点から、４０〜５０ｍｍ程度であることが好ましい。
【００３５】
以上のような各構成部材が次のように組み合わされて開口部装置１００とされている。すなわち、上枠１、下枠２、吊元側縦枠３、及び戸先側縦枠４により形成された枠体内に、障子５を配置する。その際には下枠２に設けられた下側ピボット軸２ａ（図３参照）を障子５の吊元側框９の下端に具備された軸受けに挿入する。一方、吊元側框９の上端に設けられた上側ピボット軸７ｃを上枠１に設けられた軸受け１ａに挿入する（図３参照）。これにより障子５をピボットヒンジを中心に揺動させることで開閉することが可能となる。なお、このときに吊元側縦枠３と吊元側框９との間には所定の間隙が設けれ、縦ガラリ４０が形成されている。図６に縦ガラリ４０を説明する図を示した。
【００３６】
図６は図２にＶＩ−ＶＩで示した線に沿った水平方向の断面図で、支持部材１３が配置されていない部位における吊元側縦枠３及び吊元框９との関係を表した図である。図６にＡで示した円は障子５の揺動の軸中心である。
図６からわかるように、障子５の閉鎖の姿勢でも吊元側縦枠３と吊元框９との間に間隙を有しており、これが縦ガラリ４０として機能する。すなわち、図６に矢印Ｂで示したように、片３ａと吊元框９との間、及び片３ｂと吊元框９との間を開口としてこの間を連通する通路が形成されている。
このとき、水返し手段２５により当該通路が見込み方向に一直線となることが回避され、浴室側から通路に侵入した水が水返し手段２５の片２５ａに当たり、下方へ落下するように構成されている。これにより更衣室側への水の侵入を防止している。また、片２５ａは浴室側からみて凹状に湾曲しているので、浴室側から侵入した水を効率よく片２５ａに当てて下方に導くことが可能である。
【００３７】
なお、縦ガラリ４０ではこのように浴室側から更衣室側への水の侵入を防止しているが、特に障子５の下端部では縦ガラリ４０への水の侵入の頻度及び水量が多いことを考慮して、当該障子５の下端部については、障子５の閉鎖時に通路を遮断するシール部材が配置されてもよい。
【００３８】
支持部材１３は、図２、図４からわかるように吊元側縦枠３に取り付けられる。より詳しくは次の通りである。
支持部材１３は吊元側縦枠３の長手方向、すなわち上下方向のうち概ね中央に配置されることが好ましい。これは、上下のピボット軸２ａ、７ｃを拘束点として障子（吊元側框９）に振動が生じることから、当該中央で振動の振れ幅が最も大きいことによる。ただし、必ずしも当該中央である必要はなく、障子の形態等を考慮して適宜変更することもできる。
一方、支持部材１３は、吊元側縦枠９のうち、図４からわかるように更衣室側に設けられた片３ｂのうち、浴室側の面（見付け面）に配置される。これにより支持部材１３が吊元框９に対向して配置できる。ここで、図４にも表れているように、障子５の閉鎖の姿勢で支持部材１３の接触部１３ｂが吊元框９に接触するように配置する。支持部材１３の吊元側縦枠３への固定は特に限定されることはないが、本形態では取付部１３ｃが吊元側縦枠３に設けられた穴（不図示）に挿入されて固定される。この他より強固に固定するため、接着剤やネジ等の固定部材を用いてもよいし、これらを取付部１３ｃとともに併用してもよい。
【００３９】
以上説明した開口部装置１００は次のように作用する。縦ガラリ４０による浴室内外の通気については上記した通りなのでここでは説明を省略する。ここでは支持部材１３による障子５の振動の抑制について説明する。図７に説明のための図を示した。図７は、図４のうち、吊元側縦枠３及び吊元框９の部位に注目した図である。図７にＡで示した円は障子５の揺動の軸中心である。
【００４０】
一方、支持部材１３が配置されている部位においては、支持部材１３の接触部１３ｂが吊元框９に接触しており、縦ガラリ４０の更衣室側は支持部材１３によって塞がれている。すなわち、障子５を閉鎖した姿勢では、支持部材１３を配置した部位では、支持部材１３が吊元側縦枠３及び吊元框９に接触しており、支持部材１３を介して吊元側縦枠３と吊元框９とが接触している。
【００４１】
図８は図７と同一の断面において障子５を開放した姿勢の断面図である。図８からわかるように、障子５を開放したときには吊元框９はピボット軸を軸（Ａ）として浴室内側に揺動する。すなわち障子を開放したときには、支持部材１３は吊元框９や水返し手段２５に接触することはなく、障子５は滑らかに回転する。
【００４２】
そして、図８に示した障子５の開放の姿勢から障子を閉鎖して図７の姿勢としたときには、支持部材１３の接触部１３ｂが吊元框９に接触するので、障子５の閉鎖時の衝撃により、振動が発生した場合であっても、吊元框９、すなわち障子５の振動を抑制することが可能となる。
【００４３】
図９には変形例を示した。図９（ａ）は１つの変形例、図９（ｂ）は他の変形例である。いずれの変形例も上記１つの実施形態に対して支持部材が変形したものであり、他の部位は同じであることからここで、支持部材についてのみ説明し、他については同じ符号を付して説明を省略する。
【００４４】
図９（ａ）に示した支持部材２９は、図９（ａ）に示した断面を有している。支持部材２９の長手方向、及び配置位置については支持部材１３と同様である。支持部材２９は、吊元框９側に取り付けられ、障子５の閉鎖時に支持部材１３の更衣室側の面が吊元側縦枠３の片３ｂに接触するように構成されている。また支持部材１３の更衣室側の面は障子５の開放の際に吊元側縦枠３に接触しないように湾曲して形成されている。
このような支持部材２９によっても支持部材１３と同様の効果を奏する。
【００４５】
図９（ｂ）に示した支持部材３０は、支持部材２９の更衣室側の面に突出部３０ａが設けられた例である。当該突出部３０ａは障子５の閉鎖の姿勢で片３ｂの端面に接触し、片３ｂを見付け方向（紙面右方）に押圧する。これによりさらに障子５の振動を抑制することが可能となる。
【００４６】
ここでは、障子を開閉軸部材としてのピボットヒンジで開閉する例について説明した。ピボットヒンジでは障子を上下端部で保持するため、縦ガラリを形成したときに振動が生じやすい形態であることから、本発明によりその効果は顕著に表れる。ただし、蝶番等のようなピボットヒンジでない開閉軸部材による開口部装置であっても、縦ガラリを設けることにより振動を生じることがあるので、本発明は他の形態の開閉軸部材を用いた開口部装置にも適用することができる。
【符号の説明】
【００４７】
１  上枠
２  下枠
３  吊元側縦枠
４  戸先側縦枠
５  障子
６  パネル
７  上框
８  下框
９  吊元框
１０  戸先框
１３  支持部材
２５  水返し手段
２９  支持部材
３０  支持部材
４０  縦ガラリ
１００  開口部装置
【図１】
2014109116.tif 000003
【図２】
2014109116.tif 000004
【図３】
2014109116.tif 000005
【図４】
2014109116.tif 000006
【図５】
2014109116.tif 000007
【図６】
2014109116.tif 000008
【図７】
2014109116.tif 000009
【図８】
2014109116.tif 000010
【図９】
2014109116.tif 000011